(57)【特許請求の範囲】
【請求項１】
それぞれ異なる走行速度により駆動されて、所定のヘッドによりトラックの記録が行われる複数の記録モードに対応すると共に、再生時のトラッキング制御に用いるための周波数の異なる複数種類のパイロット信号が上記各トラックに循環的に記録されるテープ状記録媒体の上記記録モードを判別するための記録モード判別装置として、
上記テープ状記録媒体を走行させる動作モードとして、通常再生時の偶数倍速による高速再生動作モードとされている場合には、トラッキングエラー信号生成のために用いられ、上記パイロット信号に一致する周波数信号が用意された複数種類の基準パイロット信号のうち、所定の一種類の基準パイロット信号を固定して出力し、この固定出力された基準パイロット信号に基づいて得られたトラッキングエラー信号を所定タイミングでサンプリングして得られる出力信号の時系列変化パターンに基づいて上記記録モードを判別し、
通常再生時の奇数倍速による高速再生動作モードとされている場合には、上記複数種類の基準パイロット信号を所定タイミングで循環して出力し、この循環出力された複数種類の基準パイロット信号に基づいて得られたトラッキングエラー信号を所定タイミングでサンプリングして得られる出力信号の時系列変化パターンに基づいて上記記録モードを判別するように構成された判別処理手段を、
備えていることを特徴とする記録モード判別装置。
【請求項２】
上記テープ状記録媒体から再生した画像を表示可能な液晶表示装置の表示モードがオンとされている場合に、早送り再生動作又は早戻し再生動作として、上記通常再生時の偶数倍速による高速再生動作モードが設定され、上記液晶表示装置の表示モードがオフとされている場合に、早送り再生動作又は早戻し再生動作として、上記通常再生時の奇数倍速による高速再生動作モードが設定される
ことを特徴とする請求項１に記載の記録モード判別装置。
【請求項３】
それぞれ異なる走行速度により駆動されて、所定のヘッドによりトラックの記録が行われる複数の記録モードに対応すると共に、再生時のトラッキング制御に用いるための周波数の異なる複数種類のパイロット信号が上記各トラックに循環的に記録されるテープ状記録媒体の上記記録モードを判別するための記録モード判別方法として、
上記テープ状記録媒体を走行させる動作モードとして、通常再生時の偶数倍速による高速再生動作モードとされている場合には、トラッキングエラー信号生成のために用いられ、上記パイロット信号に一致する周波数信号が用意された複数種類の基準パイロット信号のうち、所定の１種類の基準パイロット信号を固定して出力し、この固定出力された基準パイロット信号に基づいて得られたトラッキングエラー信号を所定タイミングでサンプリングして得られる出力信号の時系列変化パターンに基づいて、現在走行中のテープ状記録媒体の上記記録モードを判別し、
通常再生時の奇数倍速による高速再生動作モードとされている場合には、上記複数種類の基準パイロット信号を所定タイミングで循環して出力し、この循環出力された複数種類の基準パイロット信号に基づいて得られたトラッキングエラー信号を所定タイミングでサンプリングして得られる出力信号の時系列変化パターンに基づいて、現在走行中のテープ状記録媒体の上記記録モードを判別する
ように構成されていることを特徴とする記録モード判別方法。
【請求項４】
上記テープ状記録媒体から再生した画像を表示可能な液晶表示装置の表示モードがオンとされている場合に、早送り再生動作又は早戻し再生動作として、上記通常再生時の偶数倍速による高速再生動作モードが設定され、上記液晶表示装置の表示モードがオフとされている場合に、早送り再生動作又は早戻し再生動作として、上記通常再生時の奇数倍速による高速再生動作モードが設定されることを特徴とする請求項３に記載の記録モード判別方法。
【発明の詳細な説明】
【０００１】
【発明の属する技術分野】
本発明は、例えばＡＴＦ（Ａｕｔｏｍａｔｉｃ  Ｔｒａｃｋ  Ｆｉｎｄｉｎｇ）  方式によるトラッキング制御を行うＶＴＲ（Ｖｉｄｅｏ  Ｔａｐｅ  Ｒｅｃｏｒｄｅｒ）  等のテープ状記録媒体の記録／再生装置に対応し、早送り再生時又は早戻し再生時においてテープ状記録媒体の記録モードを判別するための記録モード判別装置に関するものであり、特にモニタ装置として液晶表示装置を備えたＶＴＲ等に備えられる記録モード判別装置に適用して好適なものとされる。
【０００２】
【従来の技術】
例えばＶＴＲとして、特にビデオカメラを備えてなる可搬型のいわゆるカムコーダ等においては、再生画像や撮像画像をモニタするための液晶表示装置を備えたものが広く普及している。
上記のような液晶表示装置を備えたＶＴＲにおいて、例えば回転ドラムに１８０°対向して設けられた互いにアジマス角の異なる一対のヘッドによりヘリカルスキャンにより、ガードバンドレスでトラックの記録を行う方式が採用されているものとする。そして、このような早送り再生又は早戻し（巻戻し）再生の画像を上記液晶表示装置にそのまま表示させようとすると、ヘッドが複数トラックを横切ることにより再生ＲＦ信号が不十分となる期間に対応するようにして、早送り／巻戻し再生画像において水平方向にノイズバーが表れることが分かっている。
【０００３】
そこで、例えば特開平２−１３７５８６などのように、早送り／巻戻し再生時において上記のようなノイズバーが液晶表示装置の画面に表れないようにした構成が、先に本出願人により提案されている。
この発明においては、マトリクス方式により駆動される液晶表示装置が備えられているものとされる。そして、早送り／巻戻し再生時は通常再生時のテープ走行高速度に対する所定の偶数倍速により磁気テープを走行させるようにしている。磁気テープを偶数倍速により走行させた場合には、再生ＲＦ信号が不十分な期間、即ち再生画像としてノイズバーが現れる位置が水平方向においてフィールドごとにずれることが分かっている。
そこで、通常時の偶数倍速による早送り／巻戻し再生時において、再生ＲＦ信号が不十分な期間、即ち再生画像として不要と見做してよい部分に対応する期間では、液晶表示装置を駆動する水平走査信号の供給を停止して、この期間は液晶表示装置のホールド効果を利用して直前フィールドの画像部分（この部分の画像は充分なレベルの再生ＲＦ信号に基づいて表示されている）が表示されるようにすることで、ノイズバーが消去された早送り／巻戻し再生画像を表示させることが可能となる。
【０００４】
また、コントロールトラックを利用せずにＡＴＦによるトラッキング制御方式を採用したＶＴＲとして、例えば８ｍｍＶＴＲなどにおいては、例えばそれぞれ異なる所定周波数を有する４種類のパイロット信号を利用する、いわゆる「４周波ＡＴＦ方式」が採用されている。この４周波ＡＴＦ方式では、上記４種類のパイロット信号を順次循環するようにしてトラックに記録していくようにされている。そして、再生時においては再生ＲＦ信号から得られるパイロット信号（再生パイロット信号）と、ヘッドの走査タイミング（例えばフィールドタイミング）に応じて順次循環する基準パイロット信号（上記４種類のパイロット信号と同一周波数とされる）に基づいて生成されるトラッキングエラー信号に基づいて、再生ヘッドが目的のトラックを適正にトレースするようにトラッキング制御を行うものである。
【０００５】
更に、上述のような４周波ＡＴＦ方式を採用した８ｍｍＶＴＲにおいては、記録モードとして、磁気テープを標準速度で走行させてトラックの記録を行う標準モード（ＳＰモード）と、例えば上記標準速度の１／２倍速のテープ走行速度によりトラックの記録を行っていくことにより、結果的に、同一長の磁気テープについて上記ＳＰモード時のほぼ２倍に相当する録画時間を得ることができる長時間モード（ＬＰモード）を備えるものが知られている。
【０００６】
そこで、例えば１つの磁気テープ上にＳＰモードで記録された領域とＬＰモードで記録された領域が混在することは当然あり得ることになる。そして、通常再生時はもちろんのこと、特殊再生時として早送り／巻戻し再生時においても、例えば、磁気テープが走行するのに応じて、磁気テープがＳＰモードで記録された領域からＬＰモードで記録された領域に変化したような場合には、これまでＳＰモードに対応する再生動作条件を、ＬＰモードに対応する再生動作条件に切換えて、ＬＰモードで記録された領域の早送り／巻戻し再生画像が適正に表示されるようにする必要がある。同様にして、早送り／巻戻し再生時において、磁気テープがＬＰモードで記録された領域からＳＰモードで記録された領域に変化したようなときにも、ＬＰモードに対応する再生動作条件からＳＰモードに対応する再生動作条件に切換える必要がある。
【０００７】
上記のような、記録モードに応じた早送り／巻戻し再生時のテープ走行速度の切換えを実現するためには、早送り／巻戻し再生時において、再生中の磁気テープのトラックがＳＰモードとＬＰモードの何れの記録モードにより記録されているのかを判別することが必要になるが、このような記録モードの判別のための構成が例えば特開昭６２−１８４６４６として先に本出願人により提案されている。
この発明においては、早送り／巻戻し再生時のテープ走行速度を通常再生速度に対して所定の奇数倍速となるように設定したうえで、前述のようにして得られるトラッキングエラー信号を所定タイミングでサンプリングするようにしている。この場合のサンリング出力は、磁気テープの記録モードとテープ走行速度との関係ごとに異なる固有の時系列パターンを有することから、このサンプリング出力の時系列パターンを参照することにより、磁気テープの記録モードの判別が可能なように構成される。
【０００８】
【発明が解決しようとする課題】
上述したようなことを背景として、例えば、現状の液晶表示装置を備えた８ｍｍＶＴＲ（カムコーダ）においては、液晶表示モードがオフとされて液晶表示装置による再生画像の表示の必要が無いとされている条件では、早送り／巻戻し再生時のテープ走行速度を通常再生速度の奇数倍速とするようにし、液晶表示モードがオンとされている条件では、早送り／巻戻し再生時のテープ走行速度を、通常再生速度の偶数倍速とすることにより、液晶表示画面にノイズバーが現れないようにした構成を採っている。
【０００９】
ところが、上記のような構成を採る８ｍｍＶＴＲにおいて、早送り／巻戻し再生時に磁気テープの記録モードを判別しようとした場合、液晶表示モードがオフとされている条件では、このときのテープ走行速度が通常再生速度の奇数倍速とされていることにより、前述した特開昭６２−１８４６４６に示される構成に準ずるようにして、再生パイロット信号とフィールドタイミングで循環する基準パイロット信号とに基づいて得られるトラッキングエラー信号のサンプル出力の時系列変化を監視することにより判別することが可能となるので、特に問題はない。
これに対して、液晶表示モードがオンとされている条件では、早送り／巻戻し再生時のテープ走行速度が通常再生速度の偶数倍速となるが、偶数倍速の条件ではＳＰモード時とＬＰモード時とで、トラッキングエラー信号のサンプル出力の時系列パターンに固有のものが現れないことが分かっている。つまり、この条件では、上記のような記録モードの判別方法を利用してＳＰ／ＬＰモードの判別を行うことが非常に困難となるという問題を有している。
【００１０】
【課題を解決するための手段】
そこで、本発明は上記した問題点を考慮して、例えば液晶表示装置を備えることにより早送り／巻戻し再生時のテープ走行速度として、通常再生速度の偶数倍速（液晶表示モードオン時）と奇数倍速（液晶表示モードオフ時）との切換えが行われるＶＴＲ等において、偶数倍速時と奇数倍速時の何れの条件にも対応して容易に磁気テープの記録モードを判別することのできる記録モード判別装置及び記録モード判別方法を提供することを目的とする。
【００１１】
このため、それぞれ異なる走行速度により駆動されて、所定のヘッドによりトラックの記録が行われる複数の記録モードに対応すると共に、再生時のトラッキング制御に用いるための周波数の異なる複数種類のパイロット信号が上記各トラックに循環的に記録されるテープ状記録媒体の上記記録モードを判別するための記録モード判別装置において、テープ状記録媒体を走行させる動作モードとして、通常再生時の偶数倍速による高速再生動作モードとされている場合には、トラッキングエラー信号生成のために用いられ、パイロット信号に一致する周波数信号が用意された複数種類の基準パイロット信号のうち、所定の一種類の基準パイロット信号を固定して出力し、この固定出力された基準パイロット信号に基づいて得られたトラッキングエラー信号を所定タイミングでサンプリングして得られる出力信号の時系列変化パターンに基づいて記録モードを判別し、通常再生時の奇数倍速による高速再生動作モードとされている場合には、上記複数種類の基準パイロット信号を所定タイミングで循環して出力し、この循環出力された複数種類の基準パイロット信号に基づいて得られたトラッキングエラー信号を所定タイミングでサンプリングして得られる出力信号の時系列変化パターンに基づいて上記記録モードを判別するように構成した判別処理手段を設けることとした。
【００１２】
また、それぞれ異なる走行速度により駆動されて、所定のヘッドによりトラックの記録が行われる複数の記録モードに対応すると共に、再生時のトラッキング制御に用いるための周波数の異なる複数種類のパイロット信号が上記各トラックに循環的に記録されるテープ状記録媒体の上記記録モードを判別するための記録モード判別方法において、テープ状記録媒体を走行させる動作モードとして、通常再生時の偶数倍速による高速再生動作モードとされている場合には、トラッキングエラー信号生成のために用いられ、パイロット信号に一致する周波数信号が用意された複数種類の基準パイロット信号のうち、所定の１種類の基準パイロット信号を固定して出力し、この固定出力された基準パイロット信号に基づいて得られたトラッキングエラー信号を所定タイミングでサンプリングして得られる出力信号の時系列変化パターンに基づいて、現在走行中のテープ状記録媒体の上記記録モードを判別し、通常再生時の奇数倍速による高速再生動作モードとされている場合には、上記複数種類の基準パイロット信号を所定タイミングで循環して出力し、この循環出力された複数種類の基準パイロット信号に基づいて得られたトラッキングエラー信号を所定タイミングでサンプリングして得られる出力信号の時系列変化パターンに基づいて上記記録モードを判別することとした。
【００１３】
上記構成によれば、早送り／巻戻し再生時のテープ走行速度が通常再生速度の偶数倍速とされた場合には、トラッキングエラー信号を生成するのに用いる基準パイロット信号を循環させずに所定の１種類のものに固定して出力することになるが、これにより、トラッキングエラー信号を所定タイミングでサンプルして得られる出力には、磁気テープの記録モードとテープ走行速度の関係ごとに異なる時系列パターンが得られることになる。
【００１４】
【発明の実施の形態】
以下、本発明の実施の形態について説明する。本実施の形態の記録モード判別装置は、液晶表示装置を設けた８ｍｍＶＴＲに備えられるものとされる。
なお、以降の説明は次の順序で行うこととする。
＜１．ＶＴＲの外観＞
＜２．ＳＰモード及びＬＰモードのトラックパターン＞
＜３．記録モード判別回路の構成＞
＜４．液晶表示部の構成＞
＜５．本実施の形態の記録モード判別処理＞
＜６．記録モード判別信号の時系列パターン＞
（ａ．液晶表示モードオン時）
（ｂ．液晶表示モードオフ時）
【００１５】
図１は、本実施の形態の記録モード判別装置が備えられる８ｍｍＶＴＲの外観を示す斜視図である。この図に示すように本実施の形態のＶＴＲ１００は、ビデオカメラを備えることによって撮影画像の録画が可能とされる、可搬型のいわゆるカムコーダの構成を採っている。
ビデオカメラを備えたＶＴＲ本体１０１には、図のように可動機構部１０１ａにより連結されるようにして、液晶モニタ部１０２が取り付けられている。この液晶モニタ部１０２には液晶表示装置の表示画面である液晶表示部１０３が設けられている。この液晶表示部１０３には、現在の撮影画像やＶＴＲに装填された８ｍｍカセットテープの再生画像（通常再生画像及び特殊再生画像等）を表示させることが可能とされる。
上記液晶モニタ部１０２は、可動機構部１０２によって規定範囲内においてその方向を任意に変更することが可能であり、例えばそのときのユーザの使用状態に応じてユーザが任意に液晶モニタ部１０２を動かしてその方向を決めることができるようになっている。
【００１６】
この図では、液晶モニタ部１０２をＶＴＲ本体１０１側の液晶収納部１０１ｂから外して開いた状態が示されており、このように液晶モニタ部１０２が液晶収納部１０１ｂから外されて開いた状態となると、例えば図示しないスイッチなどにより液晶モニタ部１０２が開いた状態が検出され、液晶表示モードをオンとする。これにより、液晶モニタ部１０２側に表示用の電源が供給されて、例えば、液晶表示部１０３に対して、撮影時であればビデオカメラによる撮影画像を表示させ、ビデオテープの再生時であればその再生画像を表示させることが可能になる。
また、この図に示す状態から、例えば液晶モニタ部１０２をＶＴＲ本体１０１側の液晶収納部１０１ｂに収納するようにして閉じた場合には、上記スイッチにより液晶モニタ部１０２が閉じた状態が検出され、液晶表示モードをオフとすることになる。この場合、液晶モニタ部１０２側に対する表示用電源の供給は停止されて、液晶表示部１０３におけるモニタ表示は行われないようにされる。
【００１７】
＜２．ＳＰモード及びＬＰモードのトラックパターン＞
本実施の形態のＶＴＲ１００では、記録モードとして、標準とされるテープ走行速度によりトラックを記録していくＳＰモードと、このＳＰモードの１／２倍速のテープ走行速度によりトラックの記録を行っていくことで、ＳＰモードに対して同一テープ長あたりの録画時間をほぼ２倍とすることのできるようにしたＬＰモードといわれる長時間録画モードを備えている。そして、例えばユーザが録画時において任意に何れか一方の録画モードを選択することにより、選択された記録モードに対応するテープ走行速度が設定されて録画が行われる。
【００１８】
また、本実施の形態のＶＴＲ１００においては、ＳＰモードの記録／再生に適合するようにヘッドのギャップ長が設定されたＳＰモード用ヘッドと、ＬＰモードの記録／再生に適合するように、ＳＰモード用ヘッドよりも幅狭のヘッドのギャップ長が設定されたＬＰモード用ヘッドとが、それぞれ独立して備えられる。ＳＰモード用ヘッドは、２つの互いにアジマスの異なるヘッドが回転ドラムに対して１８０°対向するようにして設けられる。同様にして、ＬＰモード用ヘッドも２つの互いにアジマスの異なるヘッドが、ＳＰモード用ヘッドに対して所定角度離れた距離を置くようにして、回転ドラムに対して１８０°対向するようにして設けられる。
【００１９】
図２（ａ）（ｂ）は、それぞれＳＰモードとＬＰモードにより記録されるトラックパターンを模式的に示している。
図２（ａ）に示すトラックパターンはＳＰモードによるものを示しており、磁気テープＴは、図に示すテープ走行方向ＸＴ  に対してＳＰモードに対応する通常速度で走行するように駆動されている。
このようにして走行する磁気テープＴに対して、１対のＳＰモード用ヘッドが図の破線に示すヘッド走査方向ＸＳ  に添って磁気テープをトレースすることによって、順次、トラックＴｒ１〜Ｔｒ５・・・に示すようにして斜め方向にトラックが記録されていく。本実施の形態の場合には１トラックが１フィールド期間に相当する。
そして、本実施の形態においては４周波ＡＴＦ方式を採ることから、それぞれ周波数の異なる４種類のパイロット信号ｆ１  ，ｆ２  ，ｆ３  ，ｆ４  をトラック単位で順次循環するようにして記録していくようにされる。図２（ａ）においてはトラックＴｒ１〜Ｔｒ５に対して、それぞれｆ１  →ｆ２  →ｆ３  →ｆ４  →ｆ１  の順にパイロット信号が記録されていく状態が示されている。これらのパイロット信号ｆ１  ，ｆ２  ，ｆ３  ，ｆ４  は、８ｍｍＶＴＲの記録フォーマットの場合には、映像信号に対して周波数多重するようにして重畳された状態で記録される。
【００２０】
図２（ｂ）は、ＬＰモードによるトラックパターンを、上記図２（ａ）のＳＰモードによるトラックパターンと比較して示す図であり、図２（ａ）と同一部分については同一符号を付している。
この場合、磁気テープＴはテープ走行方向ＸＴ  に対してＬＰモードに対応する通常速度（ＳＰモードの１／２倍速）で走行しているものとされ、この磁気テープＴに対してＬＰモード用ヘッドがヘッド走査方向ＸＳ  に沿ってフィールドタイミングで走査することで、図に示すようにしてトラックＴｒ１１〜Ｔｒ１５の順に記録が行われていく。この際、各トラックＴｒ１１〜Ｔｒ１５のトラックピッチは、ＳＰモード時に形成されるトラックＴｒ１〜Ｔｒ５のトラックピッチのほぼ１／２となる。
そして、ＬＰモード時においても、ＳＰモード時と同様にパイロット信号ｆ１  ，ｆ２  ，ｆ３  ，ｆ４  をトラック単位で順次循環するようにして記録していくようにされ、図２（ｂ）においてもトラックＴｒ１１〜Ｔｒ１５に対して、それぞれｆ１  →ｆ２  →ｆ３  →ｆ４  →ｆ１  の順にパイロット信号が記録されている状態が示されている。
【００２１】
上記のようにして記録された磁気テープを再生する際には、例えば通常再生時であれば、磁気テープがＳＰモードで記録されている場合にはＳＰモードに対応する通常の走行速度によりテープが走行されたうえで、ＳＰモード用ヘッドが図２（ａ）に示すトラックを適正にトレースして再生出力（再生ＲＦ信号）を得るように制御される。また、磁気テープがＬＰモードで記録されている場合にはＬＰモードに対応する通常の走行速度によりテープが走行された上で、ＬＰモード用ヘッドが図２（ｂ）に示すトラックを適正にトレースして再生ＲＦ信号を得るように制御される。
また、早送り／巻戻し再生時においては、通常のテープ走行速度に対して後述するようにして所定倍速により磁気テープを走行させた上で、回転ヘッドが複数トラックを横切るようにしてトレースしていくようにされる。
【００２２】
＜３．記録モード判別回路の構成＞
図３は、先に図１に示したＶＴＲ１００内に備えられる記録モード判別回路の一構成例を示すブロック図である。なお、この図に示す記録モード判別回路は、トラッキング制御に用いるトラッキングエラー信号を生成するためのトラッキングエラー信号生成回路の構成と共用した回路構成を採っているものとされている。そして、トラッキング制御方式としては、前述したいわゆる「４周波ＡＴＦ方式」を採るものとされ、従ってこの図２に示す回路図は、この４周波ＡＴＦ方式に対応して構成されている。
【００２３】
入力端子Ｔ１には、図２に示すようにして記録された磁気テープから再生ヘッドにより再生された再生ＲＦ信号の一部が入力信号として供給される。この入力信号は、ローパスフィルタＬＰＦ０を介することによりパイロット信号成分が抽出されて、再生パイロット信号ＳＰＬとして乗算器１に供給される。
ＲＥＦパイロット信号発生回路２は、基準となるＲＥＦパイロット信号ＳＲＥＦ  を発生させ、乗算器１に対して出力する。このＲＥＦパイロット信号発生回路２にて発生されるＲＥＦパイロット信号ＳＲＥＦ  としては、前述した４種類のパイロット信号と同一周波数の信号ｆ１  ，ｆ２  ，ｆ３  ，ｆ４  を発生可能とされているとともに、これら信号ｆ１  ，ｆ２  ，ｆ３  ，ｆ４  を択一的に選択して出力するように構成されている。
【００２４】
なお、本実施の形態においては、上記パイロット信号ｆ１  ，ｆ２  ，ｆ３  ，ｆ４  の各周波数は、それぞれ
ｆ１  ＝１０２ＫＨｚ
ｆ２  ＝１１６ＫＨｚ
ｆ３  ＝１６０ＫＨｚ
ｆ４  ＝１４６ＫＨｚ
が規定されているものして説明することとする。
【００２５】
そして、ＲＥＦパイロット信号発生回路２は、通常はＲＥＦパイロット信号ＳＲＥＦ  として、上記信号ｆ１  ，ｆ２  ，ｆ３  ，ｆ４  を１フィールドごとのタイミング（ヘッドのトレースタイミング）に基づいて、循環して出力するようにされている。つまり、平衡変調のためのキャリヤ周波数として再生パイロット信号の中心周波数と同じ周波数の信号を出力するようにされる。
これに対して、後述するように、液晶表示モードオン時に対応する偶数倍速による早送り／巻戻し再生時においては、ＲＥＦパイロット信号ＳＲＥＦ  を循環出力せずに固定して出力するように制御される。
【００２６】
ただし、ＲＥＦパイロット信号発生回路２においては、実際には信号ｆ１  ，ｆ２  ，ｆ３  ，ｆ４  による標準パイロット信号ＳＳＴＤ  が生成されて、この信号について、固定出力とするか循環出力とするかが設定される。そして、実際にＲＥＦパイロット信号発生回路２より乗算器１に出力されるＲＥＦパイロット信号ＳＲＥＦ  は、上記標準パイロット信号ＳＳＴＤ  について１フィールドタイミング内の所定期間において、一次的に異なる種類の所定周波数の反転信号（例えば標準パイロット信号ＳＳＴＤ  がｆ１  であれば反転信号はｆ３  となる）に切換えるようにして出力される。この結果、上記反転信号の期間だけトラッキングエラー信号が反転することになるのであるが、これによって例えば隣接するトラックに対して疑似ロックする現象を防止するようにしている。
【００２７】
乗算器１から出力された信号は、ΔｆＡ  バンドパスフィルタ３及びΔｆＢ  バンドパスフィルタ４に対して分岐して入力される。
そして、ΔｆＡ  バンドパスフィルタ３においては、乗算器１から供給された入力信号から、
ΔｆＡ  ＝｜ｆ１  −ｆ２  ｜＝｜ｆ３  −ｆ４  ｜＝１４ＫＨｚ
により示される差周波数成分信号ΔｆＡ  を抽出する。
また、ΔｆＢ  バンドパスフィルタ４においては、乗算器１から供給された入力信号から、
ΔｆＢ  ＝｜ｆ２  −ｆ３  ｜＝｜ｆ４  −ｆ１  ｜＝４４ＫＨｚ
により示される差周波数成分信号ΔｆＢ  を抽出する。
ΔｆＡ  バンドパスフィルタ３にて得られた差周波数成分信号ΔｆＡ  は、直流化回路５に供給されることによりその信号レベルが直流化されて減算器７の反転入力に出力される。同様に、ΔｆＢ  バンドパスフィルタ４にて得られた差周波数成分信号ΔｆＢ  は、直流化回路５に供給されることによりその信号レベルが直流化されて減算器７の非反転入力に出力される。
【００２８】
ここで、差周波数成分信号ΔｆＡ  ，ΔｆＢ  は、再生時においてヘッドがトレースすべきトラックの両側に隣接している各トラックに対するクロストーク成分により生じるものである。従って、ヘッドが最良のトラッキングを行っている場合には、差周波数成分信号ΔｆＡ  ，ΔｆＢ  のレベルが等しくなり、トラッキングが何れか一方のトラックに偏っている場合には、そのトラッキングのずれ方向とずれ量に応じて上記差周波数成分信号ΔｆＡ  ，ΔｆＢ  の各信号レベルが相反的に変化することになる。
【００２９】
そして、上記減算器７からは、ヘッドのトラッキング状態に応じた上記差周波数成分信号ΔｆＡ  ，ΔｆＢ  の減算出力が演算出力信号ＳＳＵＢ  として供給されることになる。この演算出力信号ＳＳＵＢ  は、スイッチ回路９の端子Ｔ１０に供給されると共に、分岐してインバータ８を介した後にスイッチ回路９の端子Ｔ１１に供給される。
【００３０】
スイッチ回路９は、制御部１３から出力される反転制御信号ＳＩＮＶ  のレベルに応じて、端子Ｔ１２が端子Ｔ１０又は端子Ｔ１１に対して択一的に切換わるように制御される。反転制御信号ＳＩＮＶ  は、後述するように１フィールドごとにＨレベルとＬレベルが交互に反転される信号である。
【００３１】
本実施の形態においてはスイッチ回路９の端子Ｔ１２の出力信号が、トラッキングエラー信号ＳＥＲＲ  とされる。このトラッキングエラーエラー信号ＳＥＲＲ  は、サンプルホールド回路１０，１１にそれぞれ分岐して供給される。
サンプルホールド回路１０では、制御部１３より所定タイミングで出力されるサンプルホールド制御信号ＳＨ１により、入力されたトラッキングエラー信号ＳＥＲＲ  をサンプルホールドして、このサンプルホールド出力をアンプ１２を介して端子Ｔ２に供給する。端子Ｔ２を介したサンプルホールド出力は、図示しないトラッキングサーボ回路系に供給されて、実際のトラッキング制御に用いられる。
また、ホールド回路１１に供給されたトラッキングエラーエラー信号ＳＥＲＲ  は。制御部１３から出力されるサンプルホールド制御信号ＳＨ１のタイミングに応じてサンプルホールドされる。このサンプルホールド出力は記録モード判別信号ＳＤ  として制御部１３に供給される。制御部１３では、この記録モード判別信号ＳＤ  の時間軸的なレベル変化のパターン（時系列パターン）を監視することにより、後述するようにして、磁気テープの記録モードがＳＰモードとＬＰモードの何れの状態であるかを判別する。
【００３２】
制御部１３は、本実施の形態のＶＴＲ１００の各種動作を制御するものであり、マイクロコンピュータ等により構成される。
この制御部１３には、図示しないヘッドの駆動系において生成されたＲＦスイッチングパルスＲＦＳＷが供給されている。制御部１３ではこのＲＦスイッチングパルスＲＦＳＷを記録／再生動作に利用する。
また、制御部１３には液晶モニタ部１０２の開閉状態を示す液晶モニタ部開閉検出信号ＳＬＣＤ  が供給される。液晶モニタ部開閉検出信号ＳＬＣＤ  は、例えば前述したように液晶モニタ部１０２の開閉状態に応じてオン／オフするように設けられたスイッチなどから出力されるように構成されればよい。制御部１３ではこの液晶モニタ部開閉検出信号ＳＬＣＤ  に基づいて液晶表示モードのオン／オフ設定を行う。
また、制御部１３からは図示しないキャプスタンモータの駆動系に対して、キャプスタンの回転速度を可変制御するためのキャプスタン制御信号ＳＣＡＰ  を出力するものとされる。これにより、各種動作モードや再生モードに応じてキャプスタンモータの回転速度を可変制御したり、記録モードに応じたヘッドの切換えを行うことが可能とされ、所要の磁気テープの走行速度が適宜得られるように制御することになる。
更に、制御部１３からは、後述するようにして液晶表示モードオン時においてノイズレスサーチを実行するためのホールド信号ＳＨ  を生成して出力する。
【００３３】
＜４．液晶表示部の構成＞
図４は、本実施の形態の液晶表示部１０３に用いられる液晶表示装置の一構成例を概略的に示している。
液晶表示部１０３においては、上記信号供給ラインＸ１〜Ｘｎと信号ラインＹ１〜Ｙｍとの交点に対して、［スイッチ素子Ｔ１１，表示電極Ｓ１１］〜［スイッチ素子Ｔｍｎ，表示電極Ｓｍｎ］の組が図のように接続されて配置される。対向電極１０３Ａは、上記［スイッチ素子Ｔ１１，表示電極Ｓ１１］〜［スイッチ素子Ｔｍｎ，表示電極Ｓｍｎ］の配置面に対向するようにして設けられる。
【００３４】
映像信号供給回路２０１には、撮影画像若しくはビデオ再生画像の映像信号が供給される。この映像信号供給回路２０１は、信号供給ラインＸ１〜Ｘｎのライン数に対応する段数のシフトレジスタと、このシフトレジスタの出力が供給されるサンプルホールド回路を備えて構成される。映像信号供給回路２０１に供給された映像信号は、水平ラインごとにサンプルホールドされて、水平同期信号に同期するタイミングで信号供給ラインＸ１〜Ｘｎに供給される。
そして、Ｙ走査ドライバ２０２からは、フィールド周期ごとに水平同期信号のタイミングで順次信号ラインＹ１〜Ｙｍに対して走査信号を印加する。
これにより、フィールド周期ごとに、順次［表示電極Ｓ１１〜表示電極Ｓ１ｎ］が配列された水平ラインから、［表示電極Ｓｍ１〜表示電極Ｓｍｎ］が配列された水平ラインに対して、映像信号が供給されて表示される結果、映像信号の表示が行われることになる。
【００３５】
なお、本実施の形態では、液晶表示モードがオンとされている条件下での早送り／巻き戻し再生時において、Ｙ走査ドライバ２０２に対してホールド信号ＳＨ  が供給されることにより、Ｙ走査ドライバ２０２から出力されるべき走査信号が、フィールド周期ごとに異なる所定タイミングパターンで停止されることにより、液晶表示部１０３に表示する早送り／巻き戻し再生画像にノイズバーが現れない、いわゆる「ノイズレスサーチ」を実現するようにしているが、これについては後述する。
【００３６】
＜５．本実施の形態の記録モード判別処理＞
本実施の形態においては、液晶表示モードがオンの場合とオフの場合とで、早送り／巻き戻し再生時のテープ走行速度と、早送り／巻き戻し再生時におけるＲＥＦパイロット信号発生回路２（図３参照）内の標準パイロット信号ＳＳＴＤ  の循環／固定の切換え設定が異なるものとされ、これらは図５に示すように設定される。
【００３７】
先ず、早送り／巻き戻し再生時のテープ走行速度は、前述したように、液晶表示モードがオンとされている場合には通常再生速度の偶数倍速が設定され、オフとされている場合には、通常再生速度の奇数倍速が設定されるが、具体的には図５に示すように、液晶表示モードがオンとされている場合には、早送り再生時のテープ走行速度は通常再生速度の＋６倍速を設定し、巻戻し再生時のテープ走行速度は通常再生速度の−６倍速を設定するようにしている。
これに対して、液晶表示モードがオフとされている場合には、早送り再生時のテープ走行速度は通常再生速度の＋９倍速が設定され、巻戻し再生時は通常再生速度の−７倍速を設定するようにしている。
【００３８】
なお、上記のようにして設定される早送り／巻き戻し再生時のテープ走行速度は、当然のこととして、ＶＴＲの再生モードがＳＰモードに対応する時とＬＰモードに対応する時とで異なる。つまり、ＶＴＲの再生モードがＳＰモードに対応しているときには、ＳＰモードに適合する通常テープ走行速度に対する倍速度（以下ＳＰ対応倍速モードともいう）が設定され、ＶＴＲの再生モードがＬＰモードに対応しているときには、ＬＰモードに適合する通常テープ走行速度に対する倍速度（以下ＬＰ対応倍速度モードともいう）が設定されることになる。
なお、当然のこととして、ＳＰ対応倍速モード時にはＳＰ用ヘッドが再生に用いられ、ＳＰ対応倍速モード時にはＳＰ用ヘッドが再生に用いられる。
【００３９】
また、早送り／巻き戻し再生時における、ＲＥＦパイロット信号発生回路２（図３参照）での標準パイロット信号ＳＳＴＤ  の設定は、液晶表示モードがオンとされている場合には特定の１種類の周波数によるパイロット信号に固定するものとして設定し、液晶表示モードがオフとされている場合には、パイロット信号ｆ１  〜ｆ４  をフィールドタイミングで順次循環して切換えるように設定するようにされる。
【００４０】
図６は、本実施の形態としての早送り／巻戻し再生時における磁気テープの記録モード判別処理を実現するためのフローチャートであり、この処理は図３に示した制御部１３により実行される。
このルーチンでは、先ずステップＳ１０１において、早送り／巻戻し再生要求が制御部１３に与えられたか否かが判別される。この早送り／巻戻し再生要求の有無は、例えばＶＴＲ１００に設けられている操作部やリモートコントローラに設けられたキーに対して、早送り／巻戻し再生のための所要の操作が行われることにより、制御部１３に対して早送り／巻戻し再生を指示する信号が供給されたか否かに基づいて判別される。
このステップＳ１０１において、早送り／巻戻し再生要求がないとされた場合には、このルーチンを抜けてこれまで実行されていた処理動作を継続する。例えば、ステップＳ１０１に移行する以前の段階において通常再生動作が行われていたのであれば、制御部１３は他の処理ルーチンにより通常再生動作を継続するための制御を実行することになる。
これに対して、ステップＳ１０１において早送り／巻戻し再生要求あったと判別された場合には、ステップＳ１０２に進む。
【００４１】
ステップＳ１０２においては、例えば液晶モニタ部開閉検出信号ＳＬＣＤ  に基づいて、現在液晶表示モードがオンとされているかオフとされているかについて判別を行い、液晶表示モードがオンであると判別したのであればステップＳ１０３に進み、オフであると判別されたのであればステップＳ１０６に進む。ステップＳ１０３〜Ｓ１０５の処理は、液晶表示モードがオンとされて早送り／巻戻し再生時のテープ走行速度が通常速度の偶数倍速に設定されている場合の記録モード判別処理であり、ステップＳ１０６〜Ｓ１０８の処理は、液晶表示モードがオフとされて早送り／巻戻し再生時のテープ走行速度が通常速度の奇数倍速に設定されている場合の記録モード判別処理となる。
【００４２】
ステップＳ１０３においては、ステップＳ１０１における早送り／巻戻し再生要求が早送り再生であれば、テープ走行速度として通常速度の＋６倍速を設定して、この設定速度に対応するキャプスタン制御信号ＳＣＡＰ  を磁気テープの駆動系に対して出力する。これによって、磁気テープは、通常の＋６倍速によるテープ走行速度で走行することになる。一方、ステップＳ１０１における早送り／巻戻し再生要求が巻戻し再生であれば、テープ走行速度として通常速度の−６倍速を設定し、磁気テープをこのテープ走行速度で走行させるためのキャプスタン制御信号ＳＣＡＰ  を出力する。
【００４３】
次のステップＳ１０４において、制御部１３はＲＥＦパイロット信号発生回路２における標準パイロット信号ＳＳＴＤ  が固定されるように制御を実行する。これにより、ＲＥＦパイロット信号発生回路２からは固定出力するものとして設定された標準パイロット信号ＳＳＴＤ  に基づいて得られるＲＥＦパイロット信号ＳＲＥＦ  が乗算器１に対して出力されることになる。
【００４４】
そして、続くステップＳ１０５においては、サンプルホールド回路１１から制御部１３に供給される記録モード判別信号ＳＤ  に基づいて、現在走行駆動されている磁気テープにおける再生部分の記録モードの判別処理を行う。
記録モード判別信号ＳＤ  は、後述するように、トラッキングエラー信号ＳＥＲＲ  を１フィールドにつき１回ごとに所定タイミングでサンプリングして得られる信号であるが、制御部１３では、この記録モード判別信号ＳＤ  の時系列的パターンを監視することにより記録モードの判別を行う。
例えば、図７に示すように通常速度の±６倍速による早送り／巻戻し再生が行われている場合において、磁気テープの記録モード（ＳＰモード／ＬＰモード）と、磁気テープを走行させる対応倍速モード（ＳＰ対応倍速モード／ＬＰ対応倍速モード）が一致しているのであれば、記録モード判別信号ＳＤ  の時系列パターンとしては、フィールド周期で連続してＨレベルが得られることになる。
また、磁気テープの記録モードがＳＰモードとされて、テープ走行速度もＳＰ対応倍速モードで一致している状態から、磁気テープの記録モードがＬＰモードに変化した場合には、記録モード判別信号ＳＤ  にはフィールド周期でＨレベルとＬレベルが交互に得られる時系列パターンが得られる。つまり（ＨＬＨＬＨＬＨＬ・・・・）となるパターンが現れる。
また、磁気テープの記録モードがＬＰモードとされて、テープ走行速度もＬＰ対応倍速モードで一致している状態から、磁気テープの記録モードがＳＰモードに変化した場合には、記録モード判別信号ＳＤ  は（ＨＸＬＸＨＸＬＸＨＸＬＸＨＸＬＸ・・・（Ｘは不問））となって、１フィールドおきにＨレベルとＬレベルが交互に得られる時系列パターンが現れる。なお、記録モード判別信号ＳＤ  の時系列パターンが上記のようにして得られる根拠については後述する。
そして、制御部１３は実際に供給される記録モード判別信号ＳＤ  の時系列的パターンが上記３種類のうちの何れとされているかを識別することにより、磁気テープの記録モードを判別するようにされる。
【００４５】
ステップＳ１０６においては、ステップＳ１０１における早送り／巻戻し再生要求が早送り再生であれば、テープ走行速度として通常速度の＋９倍速を設定して、この設定速度に対応するキャプスタン制御信号ＳＣＡＰ  を磁気テープの駆動系に対して出力し、磁気テープが通常再生時の＋６倍速によるテープ走行速度で走行されるようにする。一方、ステップＳ１０１における早送り／巻戻し再生要求が巻戻し再生であれば、テープ走行速度として通常速度の−７倍速を設定し、磁気テープをこのテープ走行速度で走行させるためのキャプスタン制御信号ＳＣＡＰ  を出力する。
【００４６】
制御部１３は、次のステップＳ１０７において、ＲＥＦパイロット信号発生回路２における標準パイロット信号ＳＳＴＤ  がフィールドタイミングで循環されるように制御を実行する。これにより、ＲＥＦパイロット信号発生回路２からは、循環するものとして設定された標準パイロット信号ＳＳＴＤ  に基づいて得られるＲＥＦパイロット信号ＳＲＥＦ  が乗算器１に対して出力されることになる。
【００４７】
そして、続くステップＳ１０８により、記録モード判別信号ＳＤ  に基づいて磁気テープの記録モードについての判別処理を行う。
この場合には、図７に示すように、通常速度の＋９倍速あるいは−７倍速による早送り／巻戻し再生が行われている場合において、磁気テープの記録モードと磁気テープを走行させる対応倍速モードが一致しているのであれば、記録モード判別信号ＳＤ  の時系列パターンとしては、フィールドごとに連続してＨレベルが得られる。
また、磁気テープの記録モードがＳＰモードとされて、テープ走行速度もＳＰ対応倍速モードで一致している状態から、磁気テープの記録モードがＬＰモードに変化した場合には、記録モード判別信号ＳＤ  には（ＨＸＬＸＨＸＬＸＨＸＬＸＨＸＬＸ・・・（Ｘは不問））となる時系列パターンとなる。
更に、磁気テープの記録モードがＬＰモードとされて、テープ走行速度もＬＰ対応倍速モードで一致している状態から、磁気テープの記録モードがＳＰモードに変化した場合には、記録モード判別信号ＳＤ  は（ＨＨＸＸＬＬＸＸＨＨＸＸＬＬＸＸＨＨ・・・（Ｘは不問））となる時系列パターンが得られる。つまり、２フィールドＨレベルが連続する状態とＬレベルが連続する状態が、２フィールドおきに交互に現れるパターンとなる。なお、記録モード判別信号ＳＤ  の時系列パターンが上記のようにして得られる根拠については後述する。
この場合も、制御部１３は実際に供給される記録モード判別信号ＳＤ  の時系列的パターンが上記３種類のうちの何れとされているかを識別することにより、磁気テープの記録モードを判別することになる。
【００４８】
なお、ステップＳ１０５又はステップＳ１０８においては、誤判別を避けるために、例えば、所定の複数フィールド期間（例えば１２フィールド期間程度）に渡って同一な記録モード判別信号ＳＤ  の時系列パターンが連続的に得られるかどうかを監視するようにしたうえで、判別結果を確定するものとされる。
【００４９】
ステップＳ１０５又はステップＳ１０８の処理が終了した後は、一旦このルーチンを抜け、例えば他の処理ルーチンにおいて上記ステップＳ１０５又はステップＳ１０８の処理により判別された磁気テープの記録モードに対応したテープ走行速度が得られるようにすると共に、磁気テープの記録モードに対応するヘッドにより再生が行われるように、磁気テープの駆動系及び回転ヘッドの駆動系を制御する。
【００５０】
＜６．記録モード判別信号の時系列パターン＞
（ａ．液晶表示モードオン時）
以降、図７に示した記録モード判別信号ＳＤ  の時系列パターンが、図３に示した記録モード判別回路において、どのように得られるかについて説明することとし、先に、図８〜図１９を参照して液晶表示モードがオンとされている場合（通常再生速度の±６倍速時）について説明する。
【００５１】
図８は、磁気テープ上のトラックに対するヘッドのトレース状態を概念的に示す図であり、この場合には、液晶表示モードがオンとされている条件での早送り再生として、磁気テープの記録モードと磁気テープを走行させる対応倍速モードが一致しているときのトレース状態を示している。図９は、図８に示すようにしてトラックをトレースした場合の要部の動作を示すタイミングチャートである。
【００５２】
図８においては、トラックが記録された磁気テープＴが示されており、各トラックには記録時に記録されたパイロット信号（ｆ１  ，ｆ２  ，ｆ３  ，ｆ４  ）が示されている。なお、以降の説明においては、便宜上１つのトラックを特定するのに、上記パイロット信号に基づいてトラックｆ１  ，トラックｆ２  ，トラックｆ３  ，トラックｆ４  ということにする。
【００５３】
磁気テープＴが矢印で示すテープ走行方向ＸＴ  に従って、通常再生速度の＋６倍速により走行しているとすると、例えば、磁気テープの記録モードに対応する１対のヘッドは、時間軸に従ってヘッドトレース軌跡ＸＨ１→ＸＨ２→ＸＨ３・・・の順に交互にトラックをトレースすることになる。この場合、各ヘッドトレース軌跡ＸＨ１，ＸＨ２，ＸＨ３は実際には６トラック分を斜め方向に横切るようにして順次トレースしていくものとされる。
例えば、はじめにヘッドトレース軌跡ＸＨ１が、図に示すトラックｆ４  からトレースを開始したとすると、このトレースは５トラック後のトラックｆ１  で終了する。そして、ヘッドトレース軌跡ＸＨ２は、上記ヘッドトレース軌跡ＸＨ１が最後にトレースしたトラックｆ１  の直後のトラックｆ２  からトレースを開始して５トラック後のトラックｆ３  で終了する。ヘッドトレース軌跡ＸＨ３は、上記ヘッドトレース軌跡ＸＨ２が最後にトレースしたトラックｆ３  の直後のトラックｆ４  からトレースを開始したうえで、ヘッドトレース軌跡ＸＨ１と同様のトレース状態を得る。なお、この場合にはヘッドトレース軌跡ＸＨ１及びＸＨ３に対応するヘッドがトラックｆ１  、トラックｆ３  とアジマスが一致し、ヘッドトレース軌跡ＸＨ２に対応するヘッドがトラックｆ２  ，トラックｆ４  とアジマスが一致するものとされている。
【００５４】
このようにトレースが行われることをふまえて、図９の説明をする。
図９（ａ）には制御部１３に供給されるＲＦスイッチングパルスＲＦＳＷが示されている。このＲＦスイッチングパルスＲＦＳＷが反転する区間が、一方のヘッドが磁気テープを１回トレースする１フィールド期間に相当する。
そして、図８に示すようにして通常速度の＋６倍速でトラックを横切るようにしてトレースが行われる結果、再生ＲＦ信号としては、例えば図９（ｉ）に示すようなエンベロープによる波形が得られる。また、再生ＲＦ信号から得られる再生パイロット信号ＳＰＬは、図９（ｂ）に示すものとなる。
【００５５】
そして、図５にて説明したように液晶表示モードがオンとされている場合には、ＲＥＦパイロット信号発生回路２にて設定される標準パイロット信号ＳＳＴＤ  は、フィールド期間ごとに循環させず、例えば周波数ｆ１  により固定するものとして設定される。この状態を図９（ｅ）に示す。そして、これに基づいて発生出力されるＲＥＦパイロット信号ＳＲＥＦ  は、図９（ｄ）に示すように、１フィールド期間内の所定期間において周波数ｆ１  がｆ３  （反転パイロット信号）に切換えられることで、１フィールドごとに図に示すタイミングでｆ１  →ｆ３  →ｆ１  となる信号として出力される。このように、１フィールド期間内の所定期間においてパイロット信号の周波数を変化させることで、この期間だけトラッキングエラー信号ＳＥＲＲ  （及び減算出力信号ＳＳＵＢ  ）の波形が反転する（元の波形は図９（ｆ）（ｈ）においてそれぞれ破線で示している）。ここでは詳しい説明は省略するが、これにより前述した疑似ロックが防止される。
【００５６】
上記図９（ｂ）に示す再生パイロット信号ＳＰＬと、図９（ｄ）に示すＲＥＦパイロット信号ＳＲＥＦ  に基づいて得られる減算器７の演算出力信号ＳＳＵＢ  は、図９（ｆ）に示すものとなる。そして、制御部１３からスイッチ回路９に対して、反転制御信号ＳＩＮＶ  が、図９（ｇ）に示すようにフィールドタイミングで反転するパルス波形として出力されるとする。スイッチ回路９では、反転制御信号ＳＩＮＶ  がＨレベルの期間に端子Ｔ１１側に切換えるように動作するものとされ、これにより、スイッチ回路９から出力されるトラッキングエラー信号ＳＥＲＲ  は、図９（ｈ）に示す波形となる。
なお、図９（ｆ）の演算出力信号ＳＳＵＢ  及び図９（ｈ）のトラッキングエラー信号ＳＥＲＲ  の波形において、破線で示す波形部分は、結果的に、標準パイロット信号ＳＳＴＤ  を乗算器１に供給した場合に得られる波形となるが、本実施の形態では、仮にＲＥＦパイロット信号ＳＲＥＦ  の代わりに標準パイロット信号ＳＳＴＤ  を乗算器１に供給するようにしても、少なくとも記録モード判別信号ＳＤ  の時系列パターンは変化しないために、制御部１３による記録モード判別を行うことが可能である。
【００５７】
図９（ｃ）には、トラッキングエラー信号ＳＥＲＲ  のサンプリングタイミングとして、サンプルホールド回路１０のためのサンプルホールド制御信号ＳＨ１と、サンプルホールド回路１１のためのサンプルホールド制御信号ＳＨ２の出力タイミングが矢印により示されている。
サンプルホールド制御信号ＳＨ１は、１フィールド期間内において図９（ｃ）に示すタイミングで２回出力され、サンプルホールド回路１０ではこのタイミングでトラッキングエラー信号ＳＥＲＲ  をサンプルホールドする。そして、このサンプルホールド回路１０のサンプルホールド出力信号が、実際のトラッキング制御に利用されることになる。
また、サンプルホールド制御信号ＳＨ２は、１フィールド期間内において図９（ｃ）に示すタイミングで１回づつ出力されている。そして、このタイミングでサンプルホールド回路１１がトラッキングエラー信号ＳＥＲＲ  をサンプルホールドした出力が、記録モード判別信号ＳＤ  として制御部１３に伝送される。
【００５８】
そして、この場合のサンプルホールド制御信号ＳＨ２（図９（ｃ））によるサンプルタイミングに対応する時点のトラッキングエラー信号ＳＥＲＲ  （図９（ｈ））をみたばあい、図９（ｈ）の波形の下側に記すように、このときの信号の値としてはフィールド周期で連続してＨレベルが得られていることが分かり、結果的に図７にて説明した（ＨＨＨＨＨＨ・・・）の時系列パターンが得られていることになる。
【００５９】
なお、サンプルホールド制御信号ＳＨ２のサンプルタイミングは、図９（ｃ）においてはトラッキングエラー信号ＳＥＲＲ  のレベルが反転する位置を矢印が指示しているが、実際には、このトラッキングエラー信号ＳＥＲＲ  のレベルが反転する直前のタイミングにおけるトラッキングエラー信号ＳＥＲＲ  のレベルがサンプルホールドされるタイミングで出力されるものである。
また、図９（ｃ）に示すサンプルホールド制御信号ＳＨ２のサンプルタイミングは、図に（ＡＧＣ）として記しているように、実際には従来より行われて来たトラッキングエラー信号ＳＥＲＲ  に対するＡＧＣに利用する信号レベルをサンプルホールドするタイミングと一致している。このため、本実施の形態では特に新規に記録モード判別信号ＳＤ  を得るためのサンプルホールドタイミングを設定する必要はなく、このＡＧＣのためのサンプルタイミングを利用することができる。
【００６０】
また、制御部１３では、図９（ｊ）に示すタイミングでホールド信号ＳＨ  を生成する。この場合のホールド信号ＳＨ  は、再生ＲＦ信号（図９（ｉ））の振幅が小さい期間に対応してＨレベルとなる信号とされている。この再生ＲＦ信号の振幅が小さい期間が、液晶画面上においてノイズバーの現れる位置に対応する。
そして、このホールド信号ＳＨ  が図４に示したＹ走査ドライバ２０２のイネーブル端子に供給されることによって、ホールド信号ＳＨ  がＨレベルとされている期間は、Ｙ走査ドライバ２０２から信号ラインＹ１〜Ｙｎに供給する走査信号の出力を停止させる。
この場合、テープ走行速度が通常再生時の偶数倍速とされていることによって、図９（ｉ）に示す再生ＲＦ信号のエンベロープの振幅パターンは１フィールドごとにずれると共に、１フィールドおきに同一パターンが得られるものとなっている。
このため、ホールド信号ＳＨ  がＨレベルとされてＹ走査ドライバ２０２から走査信号が停止される期間に対応する位置の液晶表示画像は直前のフィールドの画像がホールドされて表示されている状態が順次継続されることになる。これにより、液晶表示部１０３（図１参照）には、ノイズバーの無い早送り再生画像が表示されることになる。
【００６１】
図１０は、ＳＰ対応再生モードとしての＋６倍速による早送り再生を行っていた場合に、磁気テープの記録モードがＳＰモードからＬＰモードに変化した時の磁気テープＴに対するヘッドのトレース状態が示されている。つまり、磁気テープＴはＳＰ対応倍速モードで走行してＳＰモード用ヘッドによりトレースされているのにも関わらず、磁気テープのトラックはＬＰモードとされている状態である。
この場合、ヘッドトレース軌跡ＸＨ  ，ＸＨ  として示すように、１フィールド周期ごとにＳＰモード用ヘッドが１２トラック（ＬＰモード）分をトレースしていくことになる。この場合、例えば最初のヘッドトレース軌跡ＸＨ  がトラックｆ４  からトレースを開始したとすると、このトレースは１１トラック後のトラックｆ３  で終了し、続くヘッドトレース軌跡ＸＨ  は、先のトラックｆ３  の直後のトラックｆ４  からトレースを開始して１１トラック後のトラックｆ３  で終了する動作が繰り返されることになる。
【００６２】
図１１は、上記図１０のようにして磁気テープがトレースされた場合に対応する要部の動作を示すタイミングチャートであり、図９と同一部分については同一符号を付して説明を省略する。
この場合、再生ＲＦ信号は、図１１（ｉ）に示すようにほぼエンベロープが一定レベルの状態で得られる。これは、ＬＰモードのトラックに対して、ＳＰモード用ヘッドによりＬＰモードのトラックをトレースすることによる。つまり、この場合のＳＰモード用ヘッドは、常に隣接する２つのＬＰモードによるトラックをトレースしていくような状態となるため、結果的に常にアジマスの一致するトラックの信号を再生することになるわけである。
また、再生パイロット信号ＳＰＬは、図１１（ｂ）に示すようになる。
【００６３】
このような再生パイロット信号ＳＰＬに対して、周波数ｆ１  で固定された標準パイロット信号ＳＳＴＤ  （図１１（ｅ））に基づくＲＥＦパイロット信号ＳＲＥＦ  （図１１（ｄ））が乗算器１に供給される結果、減算器７の演算出力信号ＳＳＵＢ  とスイッチ回路９より出力されるトラッキングエラー信号ＳＥＲＲ  は、それぞれ図１１（ｆ）及び図１１（ｈ）に示す波形が得られる。
そして、図１１（ｃ）に示すサンプルホールド制御信号ＳＨ２のタイミングで１フィールドに１回づつトラッキングエラー信号ＳＥＲＲ  をサンプルホールドすることによって、記録モード判別信号ＳＤ  としては、（ＬＨＬＨＬＨ・・・）となる時系列パターンが得られ、図７にて説明した（ＨＬＨＬＨＬ・・・）の時系列パターンが得られていることになる。この場合の時系列パターンの現れ方としては、記録モード判別信号ＳＤ  として最初に得られる信号がＨレベルであるかＬレベルであるのかは問わない。
【００６４】
図１２は、ＬＰ対応倍速モードとしての＋６倍速による早送り再生を行っていた場合に、磁気テープの記録モードがＬＰモードからＳＰモードに変化した時の磁気テープＴに対するヘッドのトレース状態が示されている。このとき、磁気テープＴはＬＰ対応倍速モードで走行してＬＰモード用ヘッドによりトレースされているのに対して、磁気テープのトラックはＳＰモードとされている状態である。
この場合、ヘッドトレース軌跡ＸＨ１〜ＸＨ４として示すように、１フィールド周期ごとにＬＰモード用ヘッドがＳＰモードのトラックを３トラック分トレースすることになる。この場合、ヘッドトレース軌跡ＸＨ１がトラックｆ４  からトレースを開始したとすると、このトレースは２トラック後のトラックｆ２  で終了し、続くヘッドトレース軌跡ＸＨ２は上記トラックｆ２  の直後のトラックｆ３  からトレースを開始して２トラック後ろのトラックｆ１  で終了する。ヘッドトレース軌跡ＸＨ３は、続くトラックｆ２  から２トラック後ろのトラックｆ４  までトレースし、更にヘッドトレース軌跡ＸＨ４は、上記トラックｆ４  の直後のトラックｆ１  から２トラック後ろのトラックｆ３  までトレースする
このようにしてトレースされていく結果、ヘッドトレース軌跡ＸＨ１〜ＸＨ４で示される４回のトレース動作により、再生パイロット信号ＳＰＬの再生パターンが一巡することになる。つまり４フィールド単位で固有の再生パイロット信号ＳＰＬの再生パターンが得られることになる。この状態は次に説明する図１３（ｂ）に示されている。
【００６５】
図１３は、上記図１１のようにして磁気テープがトレースされたつ合に対応する要部の動作を示すタイミングチャートであり、図９及び図１１と同一部分については同一符号を付して説明を省略する。
この場合、ＬＰモード用ヘッドが、ＬＰモードのほぼ２倍のトラックピッチのＳＰモードのトラックをトレースするため、再生ＲＦ信号は、図１３（ｉ）に示すように、アジマスが一致するトラックに対応するようにしてエンベロープの変化が得られる。このときの再生パイロット信号ＳＰＬは、図１２にて説明したようにしてトラックをトレースする結果、図１３（ｂ）に示すように得られる。
【００６６】
このような再生パイロット信号ＳＰＬに対して、周波数ｆ１  で固定された標準パイロット信号ＳＳＴＤ  （図１３（ｅ））に基づくＲＥＦパイロット信号ＳＲＥＦ  （図１３（ｄ））を乗算器１に供給される結果、減算器７の演算出力信号ＳＳＵＢ  とスイッチ回路９より出力されるトラッキングエラー信号ＳＥＲＲ  は、それぞれ図１３（ｆ）及び図１３（ｈ）に示す波形が得られる。
そして、図１３（ｃ）に示すサンプルホールド制御信号ＳＨ２のタイミングで１フィールドに１回づつトラッキングエラー信号ＳＥＲＲ  をサンプルホールドすることによって、記録モード判別信号ＳＤ  は、（ＸＨＸＬ・・・・）となる時系列パターンが得られ、図７にて説明した時系列パターン（ＨＸＬＸＨＸＬＸ・・・）と一致する。この場合も、モード判別信号ＳＤ  として最初に得られる信号がＨレベル、Ｌレベル、又はＸ（不問）の何れとなるのかは問わない。
【００６７】
図１４は、液晶表示モードがオンとされている条件での巻戻し再生時として、磁気テープの記録モードと磁気テープを走行させる対応倍速モードが一致している場合におけるトラックのトレース状態を示している。
この場合、磁気テープＴは通常再生速度の−６倍速により駆動され、早送り再生時とは逆のテープ走行方向ＸＴ  に対して走行する。
そして、このときには１フィールド周期ごとにヘッドが８トラック分をトレースすることになる。例えば、先ずヘッドトレース軌跡ＸＨ１のようにトラックｆ２  からトレースを開始したとすると、ここから７トラック分先のトラックｆ３  でトレースを終了する。続くヘッドトレース軌跡ＸＨ２では、上記トラックｆ３  より１つ後ろのトラックに戻りここからトレースが開始される。そして、ここから７トラック分先のトラックｆ１  までトレースが行われる。この場合には、このヘッドトレース軌跡ＸＨ１→ＸＨ２（ＸＨ２→ＸＨ１）による２回のトレース（２フィールド単位）によって、固有の再生パイロット信号ＳＰＬの出力パターンが得られる。
【００６８】
図１５は、上記図１４に示すトレース動作に対応する要部の動作を示すタイミングチャートであり、これまで説明してきたフローチャートの図と同一部分には同一符号を付して説明を省略する。
図１４に示すようにしてトレースが行われることで、再生パイロット信号ＳＰＬは図１５（ｂ）に示すものとなり、また、再生ＲＦ信号としては、例えば図１５（ｉ）に示すようなエンベロープの変化を有する波形が得られる。
【００６９】
上記図１５（ｂ）に示す再生パイロット信号ＳＰＬに対して、周波数ｆ１  で固定された標準パイロット信号ＳＳＴＤ  （図１５（ｅ））に基づくＲＥＦパイロット信号ＳＲＥＦ  （図１５（ｄ））を乗算器１に供給することで、減算器７の演算出力信号ＳＳＵＢ  とスイッチ回路９より出力されるトラッキングエラー信号ＳＥＲＲ  は、それぞれ図１５（ｆ）及び図１５（ｈ）に示す波形が得られる。
そして、図１５（ｃ）に示すサンプルホールド制御信号ＳＨ２のタイミングで１フィールドに１回づつトラッキングエラー信号ＳＥＲＲ  をサンプルホールドすることによって、記録モード判別信号ＳＤ  は、（ＨＨＨＨ・・・・）となる時系列パターンが得られ、図７にて説明した時系列パターンと一致する。
【００７０】
また、この場合もテープ走行速度が通常再生時の偶数倍速とされていることによって、図１５（ｉ）に示す再生ＲＦ信号の振幅パターンは１フィールドごとにずれると共に、１フィールドおきに同一パターンが得られるものとなっている。そこで制御部１３は、図１５（ｊ）に示すように、再生ＲＦ信号（図１５（ｉ））のエンベロープの振幅が小さい期間に対応してＨレベルとなるホールド信号ＳＨ  を生成してＹ走査ドライバ２０２のイネーブル端子に出力するようにしている。これにより、図９（ｊ）について説明した場合と同様にして、液晶表示部１０３（図１参照）には、ノイズバーの無い早送り再生画像が表示される。
【００７１】
図１６は、ＳＰ対応倍速モードとしての−６倍速による巻戻し再生を行っていた場合に、磁気テープの記録モードがＳＰモードからＬＰモードに変化した時の磁気テープＴに対するヘッドのトレース状態が示されている。このとき、磁気テープＴはＳＰ対応倍速モードで走行してＳＰモード用ヘッドによりトレースされているのに対して、磁気テープのトラックはＬＰモードとなっている。
この場合、ヘッドトレース軌跡ＸＨ  として示すように、１フィールド周期ごとにＳＰモード用ヘッドがＬＰモードのトラックを１６トラック分トレースしていくことになる。この場合、例えば最初のヘッドトレース軌跡ＸＨ  がトラックｆ４  からトレースを開始したとすると、このトレースは１５トラック後のトラックｆ１  で終了する。そして、このトレースにより得られる再生パイロット信号の出現パターンが１フィールドごとに繰り返される。
【００７２】
図１７は、上記図１６のようにして磁気テープがトレースされた場合に対応する要部の動作を示すタイミングチャートであり、これまで説明して来たタイミングチャートの図と同一部分については同一符号を付して説明を省略する。
この場合、再生ＲＦ信号は、図１７（ｉ）に示すようにほぼエンベロープの変化が無い状態で得られる、これは、図１１（ｉ）にて説明したのと同様の理由による。
また、再生パイロット信号ＳＰＬは、図１７（ｂ）に示すようになる。
【００７３】
このような再生パイロット信号ＳＰＬに対して、周波数ｆ１  で固定された標準パイロット信号ＳＳＴＤ  （図１７（ｅ））に基づくＲＥＦパイロット信号ＳＲＥＦ  （図１７（ｄ））が乗算器１に供給される結果、減算器７の演算出力信号ＳＳＵＢ  とスイッチ回路９より出力されるトラッキングエラー信号ＳＥＲＲ  は、それぞれ図１７（ｆ）及び図１７（ｈ）に示す波形が得られる。
そして、図１７（ｃ）に示すサンプルホールド制御信号ＳＨ２のタイミングで１フィールドに１回づつトラッキングエラー信号ＳＥＲＲ  についてサンプルホールドすることで、記録モード判別信号ＳＤ  としては、１フィールドごとに（ＬＨＬＨＬＨ・・・）となる時系列パターンが得られ、図７にて説明した（ＨＬＨＬＨＬ・・・）の時系列パターンが得られる。この場合の時系列パターンの現れ方としても、記録モード判別信号ＳＤ  として最初に得られる信号がＨレベルであるかＬレベルであるのかは問わないものである。
【００７４】
図１８は、ＬＰ対応倍速モードとしての−６倍速による早送り再生を行っていた場合に、磁気テープの記録モードがＬＰモードからＳＰモードに変化した時の磁気テープＴに対するヘッドのトレース状態が示されている。このとき、磁気テープＴはＬＰ対応倍速モードで走行してＬＰモード用ヘッドによりトレースされているのに対して、磁気テープのトラックはＳＰモードとされている状態である。
この場合、ヘッドトレース軌跡ＸＨ１〜ＸＨ４として示すように、１フィールド周期ごとにＬＰモード用ヘッドがＳＰモードのトラックを５トラック分トレースしていくことになる。ただし、この場合に最後にトレースされるトラックから読み出される信号量は僅かである。
この場合、はじめにヘッドトレース軌跡ＸＨ１がトラックｆ４  からトレースを開始したとすると、このトレースは４トラック先のトラックｆ４  で終了し、続くヘッドトレース軌跡ＸＨ２は、上記ヘッドトレース軌跡ＸＨ１により最後にトレースされたトラックｆ４  から１つ後ろのトラックｆ１  に戻り、このトラックｆ１  からトレースを開始して４トラック先のトラックｆ１  で終了する。次のヘッドトレース軌跡ＸＨ３は、上記ヘッドトレース軌跡ＸＨ２により最後にトレースされたトラックｆ１  から１つ後ろのトラックｆ２  に戻り、このトラックｆ２  からトレースを開始して４トラック先のトラックｆ２  で終了する。更に、次のヘッドトレース軌跡ＸＨ４は、上記ヘッドトレース軌跡ＸＨ３により最後にトレースされたトラックｆ２  から１つ後ろのトラックｆ３  に戻り、このトラックｆ３  からトレースを開始して４トラック先のトラックｆ３  でトレースを終了することになる。
そして、ヘッドトレース軌跡ＸＨ１〜ＸＨ４で示される４回のトレース動作（４フィールド周期）により、再生パイロット信号ＳＰＬの出現パターンが一巡する。
【００７５】
図１９は、上記図１８のようにして磁気テープがトレースされた場合に対応する要部の動作を示すタイミングチャートであり、これまで説明して来たタイミングチャートの図と同一部分については同一符号を付して説明を省略する。
この場合、再生ＲＦ信号は、図１９（ｉ）に示すように、アジマスが一致するトラックに対応するようにしてエンベロープの振幅変化が得られる。このときの再生パイロット信号ＳＰＬは、図１８にて説明したようにしてトラックをトレースする結果、図１９（ｂ）に示すものとなる。
【００７６】
このような再生パイロット信号ＳＰＬに対して、この場合も周波数ｆ１  で固定された標準パイロット信号ＳＳＴＤ  （図１９（ｅ））に基づくＲＥＦパイロット信号ＳＲＥＦ  （図１９（ｄ））が乗算器１に供給される結果、減算器７の演算出力信号ＳＳＵＢ  とスイッチ回路９より出力されるトラッキングエラー信号ＳＥＲＲ  は、それぞれ図１９（ｆ）及び図１９（ｈ）に示す波形となる。
そして、図１９（ｃ）に示すサンプルホールド制御信号ＳＨ２のタイミングで１フィールドに１回づつトラッキングエラー信号ＳＥＲＲ  をサンプルホールドすることによって、記録モード判別信号ＳＤ  は、（ＸＨＸＬ・・・・）となる時系列パターンが得られ、図７にて説明した時系列パターン（ＨＸＬＸＨＸＬＸ・・・）と一致する。この場合も、モード判別信号ＳＤ  として最初に得られる信号がＨレベル、Ｌレベル、又はＸ（不問）の何れとなるのかは問わない。
【００７７】
（ｂ．液晶表示モードオフ時）
図２０は、液晶表示モードがオフとされている条件での早送り再生として、磁気テープの記録モードと磁気テープを走行させる対応倍速モードが一致している場合におけるトラックのトレース状態を示している。
【００７８】
この場合、磁気テープＴは順方向となるテープ走行方向ＸＴ  に従って通常再生速度の−６倍速により走行する。
この条件では、ヘッドは１フィールド周期ごとに９トラック分をトレースすることになる。例えば、先ずヘッドトレース軌跡ＸＨ１のようにトラックｆ３  からトレースを開始したとすると、ここから８トラック後ろのトラックｆ３  でトレースを終了する。続くヘッドトレース軌跡ＸＨ２では、上記トラックｆ３  の１つ後ろのトラックｆ４  からトレースが開始されて、８トラック後ろのトラックｆ４  までトレースが行われる。次のヘッドトレース軌跡ＸＨ３では、上記トラックｆ４  の１つ後ろのトラックｆ１  からトレースが開始されて８トラック後ろのトラックｆ１  で終了する。更に、次のヘッドトレース軌跡ＸＨ４では、上記トラックｆ１  の直後のトラックｆ２  からトレースが開始されて８トラック後ろのトラックｆ２  で終了する。
この場合には、上記ヘッドトレース軌跡ＸＨ１→ＸＨ２→ＸＨ３→ＸＨ４による４回のトレース（４フィールド単位）によって、固有の再生パイロット信号ＳＰＬの出力パターンが繰り返して得られる。
【００７９】
図２１は、上記図２０に示すトレース動作に対応する要部の動作を示すタイミングチャートであり、これまで説明して来たタイミングチャートの図と同一部分には同一符号を付して説明を省略する。
図２０に示すようにしてトレースが行われることで、再生パイロット信号ＳＰＬは図２１（ｂ）に示すものとなり、また、再生ＲＦ信号としては、トレースしたトラックのアジマスに応じて、例えば図２１（ｉ）に示すようなエンベロープの振幅変化を有する波形が得られる。
【００８０】
この場合、上記図２１（ｂ）に示す再生パイロット信号ＳＰＬに対して、図２１（ｅ）に示すように、標準パイロット信号ＳＳＴＤ  はフィールド周期ごとに周波数ｆ１  ，ｆ２  ，ｆ３  ，ｆ４  が順次循環するものとして設定される。
この標準パイロット信号ＳＳＴＤ  に基づいて生成されるＲＥＦパイロット信号ＳＲＥＦ  は、図２１（ｄ）に示すようになる。この場合には、標準パイロット信号ＳＳＴＤ  が循環されるのに応じて、例えば周波数ｆ１  の標準パイロット信号ＳＳＴＤ  が設定されているフィールド期間では、ＲＥＦパイロット信号ＳＲＥＦ  は、所定タイミングでｆ１  →ｆ３  →ｆ１  に切換わるようにされる。また、周波数ｆ２  の標準パイロット信号ＳＳＴＤ  が設定されているフィールド期間では、ＲＥＦパイロット信号ＳＲＥＦ  は、同様の所定タイミングでｆ２  →ｆ４  →ｆ２  に切換わるようにされる。周波数ｆ３  の標準パイロット信号ＳＳＴＤ  が設定されているフィールド期間では、ＲＥＦパイロット信号ＳＲＥＦ  は、ｆ３  →ｆ１  →ｆ３  に切換わるようにされる。周波数ｆ４  の標準パイロット信号ＳＳＴＤ  が設定されているフィールド期間では、ＲＥＦパイロット信号ＳＲＥＦ  は、ｆ４  →ｆ２  →ｆ４  に切換わるようにされる。
【００８１】
そして、図２１（ｂ）に示す再生パイロット信号ＳＰＬに対して、上記図２１（ｄ）に示すＲＥＦパイロット信号ＳＲＥＦ  を出力することにより、減算器７の演算出力信号ＳＳＵＢ  とスイッチ回路９より出力されるトラッキングエラー信号ＳＥＲＲ  は、それぞれ図２１（ｆ）及び図２１（ｈ）に示す波形が得られる。
そして、図２１（ｃ）に示すサンプルホールド制御信号ＳＨ２のタイミングで１フィールドに１回づつトラッキングエラー信号ＳＥＲＲ  をサンプルホールドすることによって、記録モード判別信号ＳＤ  は、（ＨＨＨＨ・・・・）となる時系列パターンが得られ、図７にて説明した時系列パターンと一致する。
【００８２】
図２２は、ＳＰ対応倍速モードとしての＋９倍速による早送り再生を行っていた場合に、磁気テープの記録モードがＳＰモードからＬＰモードに変化した時の磁気テープＴに対するヘッドのトレース状態が示されている。このとき、磁気テープＴはＳＰ対応倍速モードで走行してＳＰモード用ヘッドによりトレースされているのに対し、磁気テープＴのトラックはＬＰモードとなっている。
この場合、ヘッドトレース軌跡ＸＨ１，ＸＨ２として示すように、１フィールド周期ごとにＳＰモード用ヘッドがＬＰモードのトラックを１８トラック分トレースすることになる。この場合、例えば最初のヘッドトレース軌跡ＸＨ１がトラックｆ３  からトレースを開始したとすると、このトレース動作は１７トラック後のトラックｆ４  で終了する。続くヘッドトレース軌跡ＸＨ２は、上記トラックｆ４  の直後のトラックｆ１  からトレースを開始して１７トラック後のトラックｆ２  で終了する。
この場合は、上記ヘッドトレース軌跡ＸＨ１→ＸＨ２による２回のトレース（２フィールド単位）によって、固有の再生パイロット信号ＳＰＬの出力パターンが繰り返して得られる。
【００８３】
図２３は、上記図２２のようにして磁気テープがトレースされた場合に対応する要部の動作を示すタイミングチャートであり、図９と同一部分については同一符号を付して説明を省略する。
この場合、再生ＲＦ信号は、図２３（ｉ）に示すようにほぼエンベロープの振幅変化が無い状態で得られる、これは、例えば図１１（ｉ）にて説明したのと同様の理由によるものであるため、ここでは説明を省略する。
また、再生パイロット信号ＳＰＬは、図２３（ｂ）に示すようになる。
【００８４】
上記のような再生パイロット信号ＳＰＬに対して、周波数ｆ１  〜ｆ４  が循環するものとして設定された標準パイロット信号ＳＳＴＤ  （図２３（ｅ））に基づくＲＥＦパイロット信号ＳＲＥＦ  （図２３（ｄ））が出力される結果、減算器７の演算出力信号ＳＳＵＢ  とスイッチ回路９より出力されるトラッキングエラー信号ＳＥＲＲ  は、それぞれ図２３（ｆ）及び図２３（ｈ）に示す波形が得られる。
そして、図２３（ｃ）に示すサンプルホールド制御信号ＳＨ２のタイミングで１フィールドに１回づつトラッキングエラー信号ＳＥＲＲ  をサンプルホールドすることによって、記録モード判別信号ＳＤ  としては、（ＸＨＸＬ・・・・）が繰り返される時系列パターンが得られ、図７にて説明した（ＨＸＬＸＨＸＬＸ・・・）の時系列パターンが得られていることになる。この場合の時系列パターンの現れ方としても、記録モード判別信号ＳＤ  として最初に得られる信号がＨレベル、Ｌレベル若しくはＸ（不問）の何れであるのかは問わない。
【００８５】
図２４は、ＬＰ対応倍速モードとしての＋９倍速による早送り再生を行っていた場合に、磁気テープの記録モードがＬＰモードからＳＰモードに変化した時の磁気テープＴに対するヘッドのトレース状態が示されている。このとき、磁気テープＴはＬＰ対応倍速モードで走行してＬＰモード用ヘッドによりトレースされているのに対して、磁気テープのトラックはＳＰモードとされている状態である。
この場合、ヘッドトレース軌跡ＸＨ１〜ＸＨ５として示すように、１フィールド周期ごとにＬＰモード用ヘッドがＳＰモードのトラックを４．５（＝９／２）トラック分トレースしていくことになる。この場合、ヘッドトレース軌跡ＸＨ１がトラックｆ３  の図に示す位置よりトレースを開始したとすると、このトレースは４トラック後のトラックｆ３  に到達する。続くヘッドトレース軌跡ＸＨ２は、ヘッドトレース軌跡ＸＨ１により最後に到達した上記トラックｆ３  からトレースを開始して４トラック後ろのトラックｆ３  でトレースを終了する。ヘッドトレース軌跡ＸＨ３は、上記トラックｆ３  の直後のトラックｆ４  からトレースを開始して、４トラック後ろのトラックｆ４  に到達する。ヘッドトレース軌跡ＸＨ４は、ヘッドトレース軌跡ＸＨ３により最後に到達した上記トラックｆ４  からトレースを開始して４トラック後ろのトラックｆ４  でトレースを終了する。ヘッドトレース軌跡ＸＨ５は、上記トラックｆ４  の直後のトラックｆ１  からトレースを開始して、４トラック後ろのトラックｆ１  に到達する。
このようにして磁気テープに対するトレースが行われていくことにより、この場合には、８回のトレース（８フィールド周期）で固有の再生パイロット信号ＳＰＬの再生パターンが得られるものとされている。
【００８６】
図２５は、上記図２４のようにして磁気テープがトレースされた場合に対応する要部の動作を示すタイミングチャートであり、これまで説明して来たタイミングチャートの図と同一部分については同一符号を付して説明を省略する。
この場合、ＬＰモードのヘッドが、ＳＰモードのトラック（ＬＰモードのほぼ２倍のトラックピッチとされる）をトレースするため、再生ＲＦ信号は、図２５（ｉ）に示すように、アジマスが一致するトラックに対応するようにしてエンベロープの振幅変化が得られる。このときの再生パイロット信号ＳＰＬは、図２４にて説明したようにしてトラックをトレースする結果、図２５（ｂ）に示すように得られる。
【００８７】
このような再生パイロット信号ＳＰＬに対して、周波数ｆ１  〜ｆ４  が循環するものとして設定された標準パイロット信号ＳＳＴＤ  （図２５（ｅ））に基づくＲＥＦパイロット信号ＳＲＥＦ  （図２５（ｄ））が乗算器１に供給される結果、減算器７の演算出力信号ＳＳＵＢ  とスイッチ回路９より出力されるトラッキングエラー信号ＳＥＲＲ  は、それぞれ図２５（ｆ）及び図２５（ｈ）に示す波形が得られる。
そして、図２５（ｃ）に示すサンプルホールド制御信号ＳＨ２のタイミングで１フィールドに１回づつトラッキングエラー信号ＳＥＲＲ  をサンプルホールドすることによって、記録モード判別信号ＳＤ  は（ＬＬＸＸＨＨＸＸＬＬＸＸＨＨ・・・・）となる時系列パターンが得られ、図７にて説明した時系列パターン（ＨＨＸＸＬＬＸＸＨＨＸＸＬＬ・・・）と一致する。この場合も、モード判別信号ＳＤ  として最初に得られる信号がＨレベル、Ｌレベル、又はＸ（不問）の何れとなるのかは問わない。
【００８８】
なお、液晶表示モードがオフとされている条件での巻戻し再生時に関する、記録モード判別信号ＳＤ  の時系列パターンの現れ方については、これまで説明して来た、液晶表示モードがオンとされている場合の巻戻し再生時の動作の説明と、液晶表示モードがオフとされている場合の早送り再生時の動作の説明とに準じて考察することにより、図７にて説明した記録モード判別信号ＳＤ  の時系列パターンの現れ方が容易に導き出されることから、ここでは説明を省略する。
【００８９】
また、上記実施の形態は、液晶表示装置が備えられた可搬型の８ｍｍＶＴＲ（カムコーダ）に本発明の記録モード判別装置を備えたものとして説明したが、これに限定されるものではなく、例えば、８ｍｍＶＴＲ以外の方式によるＶＴＲに備えることも考えられる。また、据置型のＶＴＲ機器において液晶表示装置を備えたようなものに対しても本発明を適用することが考えられる。
【００９０】
【発明の効果】
以上説明したように本発明は、通常再生時の偶数倍速で早送り／巻戻し再生を行っている時にはトラッキングエラー信号生成のための基準パイロット信号を固定設定し、奇数倍速で早送り／巻戻し再生を行っている時には上記基準パイロット信号を循環するように設定するという切換えを実行して、トラッキングエラー信号を所定タイミングでサンプルホールドした出力の時系列パターンを参照することにより、共通の記録モード判別のための構成によって、早送り／巻戻し再生が奇数倍速と偶数倍速の何れの場合であっても記録モード判別を実行することが容易に可能となるという効果を有している。
【図面の簡単な説明】
【図１】本発明の実施の形態が適用されるＶＴＲの外観を示す斜視図である。
【図２】ＳＰモードとＬＰモードのトラックパターンを示す説明図である。
【図３】本実施の形態としての記録モード判別装置の構成を示すブロック図である。
【図４】液晶表示装置の構成例を示す図である。
【図５】液晶表示モードに対応する早送り／巻戻し再生時のテープ走行速度と、基準パイロット信号の設定の相違を一覧して示す図である。
【図６】本実施の形態の早送り／巻戻し再生時における記録モード判別処理動作を示すフローチャートである。
【図７】記録モード判別に用いる記録モード判別信号の時系列パターンを各条件ごとに一覧して示す図である。
【図８】磁気テープに記録されたトラックに対するヘッドのトレース状態を示す図である。
【図９】図８に示したトレース状態に基づいて得られる要部の動作を示すタイミングチャートである。
【図１０】磁気テープに記録されたトラックに対するヘッドのトレース状態を示す図である。
【図１１】図１０に示したトレース状態に基づいて得られる要部の動作を示すタイミングチャートである。
【図１２】磁気テープに記録されたトラックに対するヘッドのトレース状態を示す図である。
【図１３】図１２に示したトレース状態に基づいて得られる要部の動作を示すタイミングチャートである。
【図１４】磁気テープに記録されたトラックに対するヘッドのトレース状態を示す図である。
【図１５】図１４に示したトレース状態に基づいて得られる要部の動作を示すタイミングチャートである。
【図１６】磁気テープに記録されたトラックに対するヘッドのトレース状態を示す図である。
【図１７】図１６に示したトレース状態に基づいて得られる要部の動作を示すタイミングチャートである。
【図１８】磁気テープに記録されたトラックに対するヘッドのトレース状態を示す図である。
【図１９】図１８に示したトレース状態に基づいて得られる要部の動作を示すタイミングチャートである。
【図２０】磁気テープに記録されたトラックに対するヘッドのトレース状態を示す図である。
【図２１】図２０に示したトレース状態に基づいて得られる要部の動作を示すタイミングチャートである。図である。
【図２２】磁気テープに記録されたトラックに対するヘッドのトレース状態を示す図である。
【図２３】図２２に示したトレース状態に基づいて得られる要部の動作を示すタイミングチャートである。
【図２４】磁気テープに記録されたトラックに対するヘッドのトレース状態を示す図である。
【図２５】図２４に示したトレース状態に基づいて得られる要部の動作を示すタイミングチャートである。
【符号の説明】
１  乗算器、２  ＲＥＦパイロット信号発生回路、３  ΔｆＡ  バンドパスフィルタ、４  ΔｆＢ  バンドパスフィルタ、７  減算器、９  スイッチ回路、１０，１１  サンプルホールド回路、１３  制御部、１００  ＶＴＲ、１０１  ＶＴＲ本体、１０１ａ  可動機構部、１０１ｂ  液晶収納部、１０２  液晶モニタ部、１０３  液晶表示部、２０１  映像信号供給回路、２０２  Ｙ走査ドライバ、ＳＰＬ  再生パイロット信号、ＳＲＥＦ      ＲＥＦパイロット信号、ＳＳＴＤ    標準パイロット信号、ＳＩＮＶ    反転制御信号、ＳＥＲＲ    トラッキングエラー信号、ＳＨ１，、ＳＨ２  サンプルホールド回路、ＳＤ    記録モード判別信号
【図１】
0003557817.tif 000002
【図２】
0003557817.tif 000003
【図３】
0003557817.tif 000004
【図４】
0003557817.tif 000005
【図５】
0003557817.tif 000006
【図６】
0003557817.tif 000007
【図７】
0003557817.tif 000008
【図８】
0003557817.tif 000009
【図９】
0003557817.tif 000010
【図１０】
0003557817.tif 000011
【図１１】
0003557817.tif 000012
【図１２】
0003557817.tif 000013
【図１３】
0003557817.tif 000014
【図１４】
0003557817.tif 000015
【図１５】
0003557817.tif 000016
【図１６】
0003557817.tif 000017
【図１７】
0003557817.tif 000018
【図１８】
0003557817.tif 000019
【図１９】
0003557817.tif 000020
【図２０】
0003557817.tif 000021
【図２１】
0003557817.tif 000022
【図２２】
0003557817.tif 000023
【図２３】
0003557817.tif 000024
【図２４】
0003557817.tif 000025
【図２５】
0003557817.tif 000026